(57)【要約】 【課題】可動部品を有する打鈴機構と時間設定機構とを有する時計を提供する。【解決手段】時間設定機構（１６）は、第１アーム（７２）を介して打鈴機構（２０）の可動部品（６０）と共働し、第２アーム（７８）を介して時間設定機構（１６）の要素（３０）と共働する。時間設定機構は、制御部材（８８）を有し、この回転は時間設定レバーにより制御される。ロッキング・レバー（２４）をロックされた打鈴作用位置の方向に回転させる引き出し部品（５０）は、前記時間設定レバー（３０）が時間設定角度位置と前記ロッキング・レバー（２４）の方向に回転すると、打鈴機構（６０）と共働するロック手段（７４）を有し、これにより、ロックされた打鈴作用位置にある打鈴機構の解放を阻止する。【選択図】  図２
2008151785.tif 000002
【特許請求の範囲】
【請求項１】
（Ａ）  打鈴機構が解放された時に動く可動部品（６０、７０）を有する打鈴機構（２０）と、
（Ｂ）  巻上ステム（２６）と共働する時間設定機構（１６）と
（Ｃ）  ロッキング・レバー（２４）と
を有し、
前記時間設定機構（１６）は、時間設定レバー（３０）と、引出部品（５０）とを有し、
前記時間設定レバー（３０）は、静止角度位置（ＰＡｒｅｐ）と時間設定角度位置（ＰＡｍａｈ）との間で回転し、
前記引出部品（５０）の回転は、前記時間設定レバー（３０）により、巻上角度位置（ＰＡｒｅｍ）と時間設定角度位置（ＰＡｍａｈ）との間で制御され、
前記引出部品（５０）は、スライド・ピニオン（３６）の軸方向のスライドを、巻上位置（Ｐｒｅｍ）から時間設定位置（Ｐｍａｈ）との間で制御し、
前記ロッキング・レバー（２４）は、
第１アーム（７２）を介して前記打鈴機構（２０）の可動部品（６０）と共働し、
第２アーム（７８）を介して前記時間設定機構（１６）の要素（３０）と共働し、
前記可動部品（６０）が、打鈴作用が解放された後移動した時に、前記ロッキング・レバー（２４）は、ロックされた時間設定位置（Ｐｍａｈｖ）の方向に回転し、そこで前記時間設定機構（１６）がロックされ、
前記時間設定機構（１６）は、制御部材（８８）を更に有し、
前記制御部材（８８）により、前記時間設定レバー（３０）が時間設定角度位置（ＰＡｍａｈ）の方向に回転すると、前記ロッキング・レバー（２４）をロックされた打鈴作用位置（Ｐｓｖ）の方向に回転させ、
前記ロッキング・レバー（２４）は、前記打鈴機構（２０）の相補手段（７６）と共働するロック手段（７４）を有し、
これにより、ロックされた打鈴作用位置（Ｐｓｖ）にある打鈴機構（２０）の解放を阻止する
ことを特徴とする打鈴機構を有する時計。
【請求項２】
前記ロッキング・レバー（２４）をロックされた打鈴作用位置（Ｐｓｖ）の方向に回転させる制御部材（８８）は、前記時間設定レバー（３０）上に配置される
ことを特徴とする請求項１記載の時計。
【請求項３】
前記打鈴機構（２０）は、解放レバー（６０）を有し、
前記解放レバー（６０）は、静止位置（Ｐｉ）から解放位置（Ｐｉｉ）に回転させると、打鈴作用を解放し、
前記ロッキング・レバー（２４）の第１アーム（７２）は、打鈴作用ロッキング・フック（７４）を有し、
前記打鈴作用ロッキング・フック（７４）は、ロックされた打鈴作用位置（Ｐｓｖ）において、解放レバー（６０）上に配置された第１フッキング・ゾーン（７６）と共働し、
前記打鈴機構（２０）をロックする
ことを特徴とする請求項１あるいは２に記載の時計。
【請求項４】
前記解放レバー（６０）の第１フッキング・ゾーン（７６）は、第１制御表面（８４）を有し、
前記第１制御表面（８４）は、前記ロッキング・レバー（２４）の第１支持表面（８６）と共働し、
これにより、前記ロッキング・レバー（２４）を、前記解放レバー（６０）が解放角度位置（Ｐｉｉ）の方向に回転した時に、ロックされた時間設定位置（Ｐｍａｈｖ）に回転させる
ことを特徴とする請求項３記載の時計。
【請求項５】
前記第１フッキング・ゾーン（７６）は、前記解放レバー（６０）に配置されたフッキング・ピン（７６）により形成される
ことを特徴とする請求項３記載の時計。
【請求項６】
前記フッキング・ピン（７６）は、解放レバー（６０）に固定されたピンの自由端により形成される
ことを特徴とする請求項５記載の時計。
【請求項７】
前記ロッキング・レバー（２４）の第２アーム（７８）は、時間設定ロッキング・フック（８０）を有し、
前記時間設定ロッキング・フック（８０）は、ロックされた時間設定位置において、前記時間設定レバー（３０）の第２フッキング・ゾーン（８２）と共働し、
前記時間設定機能をロックする
ことを特徴とする請求項１記載の時計。
【請求項８】
前記時間設定レバー（３０）の第２フッキング・ゾーン（８２）は、第２制御表面（９０）を有し、
前記第２制御表面（９０）は、前記時間設定ロッキング・フック（８０）に配置された第２支持表面（９２）と共働し、
これにより、前記時間設定レバー（３０）が時間設定位置（ＰＡｍａｈ）に回転した時に、前記ロッキング・レバー（２４）をロックされた打鈴作用位置（Ｐｓｖ）に回転させる
ことを特徴とする請求項７記載の時計。
【請求項９】
前記時間設定レバー（３０）は、フッキング・アーム（８８）を有し、
前記フッキング・アーム（８８）は、ロッキング・レバー（２４）の面に平行な面全体に延び、
前記第２フッキング・ゾーン（８２）は、前記フッキング・アーム（８８）の自由端に配置される
ことを特徴とする請求項７記載の時計。
【請求項１０】
（Ｄ）  隔離レバー（９４）をさらに有し、
前記隔離レバー（９４）の回転は、打鈴作用が静止角度位置（Ｐａ）から隔離角度位置（Ｐｂ）に解放された時に、打鈴機構（２０）の分ラック（７０）により制御され、
これにより、スライド・ピニオン（３６）は、前記巻上位置（Ｐｒｅｍ）から中間位置（Ｐｉｎｔ）にスライドし、
前記中間位置（Ｐｉｎｔ）は、巻上位置（Ｐｒｅｍ）と時間設定位置（Ｐｍａｈ）との間にある
ことを特徴とする請求項１記載の時計。
【請求項１１】
前記隔離レバー（９４）は、打鈴機構（２０）の可動部品（７０）に当たるよう弾性的に力が加えられ、
前記可動部品（７０）の回転は、打鈴作用が解放された時に、前記隔離レバー（９４）を静止位置（Ｐａ）から隔離位置（Ｐｂ）に回転させる
ことを特徴とする請求項１０記載の時計。
【請求項１２】
前記スライド・ピニオン（３６）の回転を制御するために、前記隔離レバー（９４）は、引出部品（５０）の自由端（４８）に固定されたピン（１０２）に当たる
ことを特徴とする請求項１１記載の時計。
【発明の詳細な説明】
【技術分野】
【０００１】
本発明は、ロッキング・レバーを有する打鈴機構を具備する時計に関する。
【背景技術】
【０００２】
本発明は、特に、
（Ａ）  打鈴機構が解放された時に動く可動部品を有する打鈴機構と、
（Ｂ）  巻上ステムと共働する時間設定機構と
（Ｃ）  ロッキング・レバーと
を有する時計に関し、
前記時間設定機構は、時間設定レバーと、引出部品とを有し、
前記時間設定レバーは、静止角度位置と時間設定角度位置との間で回転し、
前記引出部品の回転は、前記時間設定レバーにより、巻上角度位置と時間設定角度位置との間で制御され、
前記引出部品は、スライド・ピニオンの軸方向のスライドを、巻上位置から時間設定位置との間で制御し、
前記ロッキング・レバーは、
第１アームを介して前記打鈴機構の可動部品と共働し、
第２アームを介して前記時間設定機構の要素と共働し、
前記可動部品が、打鈴作用が解放された後移動した時に、前記ロッキング・レバーは、ロックされた時間設定位置の方向に回転し、そこで前記時間設定機構がロックされる。
【０００３】
上記の種類の時計は、特許文献１に開示されている。特許文献１では、引出部品はピンを有し、打鈴機構が解放された後、解放レバーがロックされた時間設定位置に回転した時、ピンがロッキング・レバーのノッチ内に収納される。
【０００４】
【特許文献１】欧州特許第１４２９２１４号明細書
【０００５】
特許文献１に開示された時計は、完全には満足すべきものではない。その理由は、時間設定操作中に打鈴機構の機能を中立にする（機能させない）システムを有しないからである。従ってユーザが間違って操作すると、時計に搭載されたムーブメントのある部品が損傷を受けたりロックされたりするリスクがある。ユーザは、時計の操作およびその複雑（時計の）機構に必ずしも慣れてはいないので、時間設定操作時に打鈴機構を解放するような誤った操作が警告されているにも拘わらず行われ、時計をアフターサービス・センターに戻さなければならないことがおこる。
【発明の開示】
【発明が解決しようとする課題】
【０００６】
本発明の目的は、時間設定操作時に打鈴機構を中立にする簡単で信頼できる機構を具備した時計を提供することである。
【課題を解決するための手段】
【０００７】
本発明はそれ故、上述した種類の時計を提案する。この時計において、前記時間設定機構は、制御部材を更に有し、前記制御部材により、前記時間設定レバーが時間設定角度位置の方向に回転すると、前記ロッキング・レバーをロックされた打鈴作用位置の方向に回転させ、前記ロッキング・レバーは、前記打鈴機構の相補手段と共働するロック手段を有し、これにより、ロックされた打鈴作用位置にある打鈴機構の解放を阻止する。
【０００８】
本発明の時計により、ユーザによる誤った操作のリスクが抑えられる。その理由は、打鈴機構は、時間設定操作時には解放されずまたその逆も行われるからである。さらに、ロッキング・レバーは、２つの機能を交互に実行する。すなわち打鈴機構をロックし、時間設定機構もロックする。本発明により時計の動作は、最小の部品でもって信頼性を高めることができる。
【０００９】
本発明の別の特徴によれば、前記ロッキング・レバーをロックされた打鈴作用位置の方向に回転させる制御部材は、前記時間設定レバー上に配置される。この構成により、時間設定レバーの回転を打鈴作用（機構）のロックに結びつけるが、時間設定機構に更なる部品を必要とせずに行うことができる。
【００１０】
本発明の時計は、解放レバーを有し、前記解放レバーは、静止位置から回転させると、打鈴作用を解放する。好ましくは、前記ロッキング・レバーの第１アームは、打鈴作用ロッキング・フックを有し、前記打鈴作用ロッキング・フックは、ロックされた打鈴作用位置において、解放レバー上に配置された第１フッキング・ゾーンと共働し、前記打鈴機構をロックする。かくして、打鈴機構は、簡単な方法で最小の部品数でロックできる。
【００１１】
好ましくは、前記解放レバーの第１フッキング・ゾーンは、第１制御表面を有し、前記第１制御表面は、前記ロッキング・レバーの第１支持表面と共働し、これにより、前記ロッキング・レバーを、前記解放レバーが静止角度位置の方向に回転した時に、ロックされた時間設定位置に回転させる。かくして、第１のフッキング・ゾーンは、２つの機能を実行する。すなわち、打鈴機構のロッキング・フックでもってフックすることと、ロックされた時間設定位置にロッキングレバーの回転を制御することである。
【００１２】
本発明の好ましい実施例によれば、前記第１フッキング・ゾーンは、前記解放レバーに配置されたフッキング・ピンにより形成され、および解放レバーに固定されたピンの自由端により形成される。この解決法は特に簡単で製造し易い。
【００１３】
本発明の別の特徴によれば、前記ロッキング・レバーの第２アームは、時間設定ロッキング・フックを有し、前記時間設定ロッキング・フックは、ロックされた時間設定位置において、前記時間設定レバーの第２フッキング・ゾーンと共働し、前記時間設定機能をロックする。時間設定機構は、かくして最小の部品数で簡単に実現できる。
【００１４】
好ましくは、前記時間設定レバーの第２フッキング・ゾーンは、第２制御表面を有し、前記第２制御表面は、前記時間設定ロッキング・フックに配置された第２支持表面と共働し、これにより、前記時間設定レバーが時間設定位置に回転した時に、前記ロッキング・レバーをロックされた打鈴作用位置に回転させる。かくして、第２のフッキング・ゾーンは、２つの機能を実行する。すなわち、時間設定のロッキング・フックでもってフックすることと、ロックされた打鈴位置にロッキングレバーの回転を制御することである。
【００１５】
本発明の好ましい実施例によれば、前記時間設定レバーは、フッキング・アームを有し、前記フッキング・アームは、ロッキング・レバーの面に平行な面全体に延び、前記第２フッキング・ゾーンは、前記フッキング・アームの自由端に配置される。
【００１６】
本発明の別の特徴によれば、本発明の時計は隔離レバーをさらに有し、前記隔離レバーの回転は、打鈴作用が静止角度位置から隔離角度位置に解放された時に、打鈴機構の分ラックにより制御され、これにより、スライド・ピニオンは、前記巻上位置から中間位置にスライドし、前記中間位置は、巻上位置と時間設定位置との間にある。この隔離レバーは、打鈴機構の解放時に行われる巻上操作を阻止して、時計の機構の損傷を防ぐ。
【００１７】
本発明の好ましい実施例によれば、前記隔離レバーは、打鈴機構の可動部品に当たるよう弾性的に力が加えられ、前記可動部品の回転は、打鈴作用が解放された時に、前記隔離レバーを静止位置から隔離位置に回転させる。スライド・ピニオンのスライド動作を制御するために、隔離レバーは、引き出し部品の回転する自由端部に固定されるピンに当たる。この特徴により、隔離機能を最小の部品数で簡単且つ信頼性高く実現できる。
【発明を実施するための最良の形態】
【００１８】
以下の説明において、Ｖ、Ｌ、Ｔは、それぞれ垂直方向、軸方向、横方向を表す。
【実施例】
【００１９】
図１において、腕時計である時計１０は時計ムーブメント１２を搭載する、この時計ムーブメント１２は、指針の形態を採る表示装置１４を制御する。
【００２０】
時計１０は、時間設定機構１６を有する。この時間設定機構１６は、時計ムーブメント１２と共働して表示装置１４により示される時間を変更する。時間設定機構１６は、第１手動制御部材（例えばユーザが手動Ｍ１で動かす巻上竜頭１８）により制御される。
【００２１】
時計１０は、打鈴機構２０を有する。この打鈴機構２０は、時計ムーブメント１２により自動的に（矢印Ｆ１で表す）、または、第２手動制御部材２２を介して手動Ｍ２で（矢印Ｆ２）解放される。打鈴動作が解放されると、打鈴機構２０は、時計ムーブメント１２内で打鈴すべき打数に関連する情報を探す（矢印Ｆで表す）。
【００２２】
ロッキング・レバー２４は、時間設定機構１６と打鈴機構２０との間に挿入され、打鈴動作の解放の間、時間設定機構１６の使用を阻止（禁止）する。
【００２３】
本発明によれば、ロッキング・レバー２４は、時間設定動作の間、打鈴機構２０をロックする。
【００２４】
時間設定機構１６と打鈴機構２０とロッキング・レバー２４の詳細を、図２−４を参照して以下説明する。
【００２５】
時間設定機構１６は、縦軸Ａ１に沿って内側から外側に（図２の左から右に）スライドする巻上ステム２６を有する。巻上竜頭１８は、巻上ステム２６の外側軸端２８に固定され、ユーザは、軸Ａ１の周囲を巻上ステム２６が回転するのを制御し、そして更に巻上ステム２６が、軸方向巻上位置Ｐ０（図２に示す）と軸方向時間設定位置Ｐ１（図３に示す）の間を軸Ａ１方向にスライドするのを制御する。
【００２６】
以下の説明において、回転軸は特に断らない限り、垂直方向とする。
【００２７】
時間設定レバー３０の回転は、巻上ステム２６をスライドさせることにより制御される。この時間設定レバー３０は、巻上ステム２６上方でそれを横切る方向全体に延びる。時間設定レバー３０は、自由端３２の反対側にある固定軸Ａ２の周囲を回転し、巻上ステム２６に形成された溝３４内にヒンジ係合される。時間設定レバー３０は、静止角度位置ＰＡｒｅｐ（図２）と時間設定角度位置ＰＡｍａｈ（図３）の間を回転する。以下の説明のおいて、「回転」とは、「自転」と振り子のような「振れ」とを意味する。
【００２８】
スライド・ピニオン３６は、巻上ステム２６と同軸で回転可能に固定され、スライド・ピニオン３６が巻上ステム２６上を、巻上位置Ｐｒｅｍと時間設定位置Ｐｍａｈとの間をスライドするよう、軸方向にガイドされる。巻上位置Ｐｒｅｍ（図２）においては、その内側（左）端３８は、巻上ステム２６と同軸の巻上ピニオン４０と噛み合う。時間設定位置Ｐｍａｈ（図３）においては、その外側（右）端４２は、巻上ステム２６と同軸の時間設定ピニオン４４と噛み合う。スライド・ピニオン３６は、巻上ピニオン４０と牙状の歯列を介して噛み合い、時間設定ピニオン４４とは四角形の歯列を介して噛み合う。巻上ピニオン４０と時間設定ピニオン４４は、巻上ステム２６上を自由に回転できるよう搭載され、スライド・ピニオン３６は、２つのピニオン４０、４２の一方あるいは他方を巻上ステム２６と共に回転するよう、接続する。
【００２９】
スライド・ピニオン３６の中間部分は、環状円周溝４６を具備する。この環状円周溝４６は、引出部品５０の自由端４８をヒンジ係合して収納する。引出部品５０は、巻上ステム２６上方を横切る方向に沿って延びる。引出部品５０は、固定軸Ａ３の周囲を回転し、ピン５４を具備する制御アーム５２を有する。このピン５４は、時間設定レバー３０の自由端３２の内側表面５６に当たるよう弾性的に力が加えられている。引出部品５０を時間設定レバー３０に対し弾性的に力を加える手段は、ここには開示していないが、如何なる形状例えば弾性舌状部材の形態を採ることも可能である。引出部品５０は、巻上角度位置ＰＡｒｅｍと時間設定角度位置ＰＡｍａｈとの間を回転する。この巻上角度位置ＰＡｒｅｍは、スライド・ピニオン３６の巻上位置Ｐｒｅｍに対応する。時間設定角度位置ＰＡｍａｈは、スライド・ピニオン３６の時間設定位置Ｐｍａｈに対応する。
【００３０】
かくして、時間設定レバー３０の時間設定角度位置ＰＡｍａｈへの回転により、引出部品５０は、それ自身の時間設定角度位置ＰＡｍａｈに回転する。引出部品５０の回転が、スライド・ピニオン３６を時間設定位置Ｐｍａｈの方向に、引出部品５０の自由端４８を介して駆動する。
【００３１】
時間設定ピニオン４４は、時間設定ホイール（歯車）５８と噛み合う。この時間設定ホイール５８は、巻上ステム２６の下の水平面に延び、時計ムーブメント１２の輪列と噛み合う。
【００３２】
図２−４は、本発明の理解に必要な打鈴機構２０の部品のみを示す。
【００３３】
打鈴機構２０は、解放レバー６０により形成される第１可動部品を有する。この解放レバー６０は、第１端６２と第２自由端６４を有する。第１端６２は、固定軸Ａ４の周囲に回転可能に搭載される。第２自由端６４は、打鈴機構２０の輪列と共働する２個のクリック６６、６８を搭載する。これにより、解放レバー６０が静止角度位置Ｐｉ（図２、３に示す）から解放角度位置Ｐｉｉ（図４に示す）に回転すると、解放レバー６０を解放する。
【００３４】
打鈴機構２０は、分ラック７０により形成される第２可動部品を有する。この分ラック７０は、解放レバー６０が回転し打鈴作用（打鈴機構）が解放されると、回転して打鈴すべき数を決定する。
【００３５】
本発明の特徴によれば、ロッキング・レバー２４は、ロックされた打鈴作用位置Ｐｓｖ（図３に示す）とロックされた時間設定位置Ｐｍａｈｖ（図４に示す）の間を、固定軸Ａ５の周囲で回転可能に搭載される。ロッキング・レバー２４は、中間静止角度位置Ｐｒｅｐ（図２）を有する。この中間静止角度位置においては、打鈴機構も時間設定機構のいずれもロックされていない。好ましくは、ロッキング・レバー２４は、スプリング（図示せず）のような弾性要素を有し、ロッキング・レバー２４を中間静止角度位置Ｐｒｅｐに戻す。
【００３６】
ここに示した実施例によれば、ロッキング・レバー２４は、その回転軸Ａ５の両側に第１アーム７２と第２アーム７８とを有する。第１アーム７２の自由端は、打鈴作用ロッキング・フック７４を構成し、解放レバー６０上に配置された第１フッキング・ゾーン（フッキング・ピン）７６と共働する。第２アーム７８の自由端は、時間設定ロッキング・フック８０を構成し、この時間設定ロッキング・フック８０は、時間設定レバー３０上に配置された第２フッキング・ゾーン８２と共働する。
【００３７】
好ましくは、第１フッキング・ゾーン７６は、第１制御表面８４を有する。この第１制御表面８４は、ロッキング・レバー２４上の第１支持表面８６と共働して、ロッキング・レバー２４を、解放レバー６０が角度解放位置Ｐｉｉに回転した時に、時間設定位置Ｐｍａｈｖに回転させる。
【００３８】
解放レバー６０上に配置されたフッキング・ピンは、第１フッキング・ゾーン７６を形成し、第１制御表面８４は、フッキング・ピンである第１フッキング・ゾーン７６の円筒状軸方向壁により形成される。第１フッキング・ゾーン７６は、解放レバー６０に埋め込まれるピンの自由端により形成される。第１支持表面８６は、打鈴作用ロッキング・フック７４の自由端で形成される。
【００３９】
時間設定レバー３０は、フッキング・アーム８８を有する。このフッキング・アーム８８は、ロッキング・レバー２４の面に平行な面全体にわたって延びる。フッキング・アーム８８の自由端は、フックの形状をして第２フッキング・ゾーン８２を形成する。
【００４０】
第２フッキング・ゾーン８２は、第２制御表面９０を有する。この第２制御表面９０は、時間設定ロッキング・フック８０上に形成された第２支持表面９２と共働して、時間設定レバー３０が時間設定角度位置ＰＡｍａｈに回転した時に、ロッキング・レバー２４をロックされた打鈴作用位置Ｐｓｖに回転させる。時間設定ロッキング・フック８０の自由端は、第２支持表面９２を構成する。
【００４１】
フッキング・アーム８８は、ロッキング・レバー２４をロックされた打鈴作用位置Ｐｓｖに回転させる制御部材を構成する。
【００４２】
本発明の他の特徴によれば、時計１０は、隔離レバー９４を具備する。この隔離レバー９４は、スライド・ピニオン３６を、打鈴作用が解放された時に、巻上位置Ｐｒｅｍと時間設定位置Ｐｍａｎの間の中間位置Ｐｉｎｔに配置する。これにより、時計ムーブメント１２が巻上られるのを阻止する。打鈴機構２０の動作中に巻上動作が行われると、打鈴機構２０の要素または時計ムーブメント１２の要素に損傷を与える。この巻上操作は、この操作が打鈴作用用に使用されるバレルに対し働く時には、打鈴作用の音響効果の加速効果（accelation effect）をもたらし、これにより、打鈴作用の品質を劣化させる。
【００４３】
それ故に、隔離レバー９４の固定軸Ａ６の周囲の回転は、打鈴作用が解放されて静止角度位置Ｐａ（図２、３）から隔離角度位置Ｐｂ（図４）に移る時に、打鈴機構２０の可動部品により制御される。具体的には、隔離レバー９４は、制御アーム９６と隔離アーム９８とを含む。制御アーム９６は、分ラック７０の支持アーム１００に当たるよう弾性的に力がかけられる。その結果打鈴作用が解放されると、分ラック７０の回転により隔離レバー９４が隔離角度位置Ｐｂに回転する。
【００４４】
隔離レバー９４が、静止角度位置Ｐａから隔離角度位置Ｐｂへ回転すると、隔離アーム９８は、ピン１０２に当たる（図４）。このピン１０２は、引出部品５０の自由端４８に回転可能にリンクされている。これにより引出部品５０は、スライドピニオン３６の中間位置Ｐｉｎｔ（図４に示す）に対応する中間角度位置に、固定軸Ａ３の周囲を回転する。ピン１０２は、例えば引出部品５０の自由端４８埋め込まれている。
【００４５】
引出部品５０の中間角度位置への回転は、引出部品５０が時間設定レバー３０に当てて保持するピン５４による弾性復帰力に抗して行われる。
【００４６】
本発明のロッキング・レバー２４と隔離レバー９４の動作を、図２に示した静止状態配置から次に説明する。
【００４７】
図２において、時間設定機構１６は、時計ムーブメント１２に適した構成を採る。それ故に、ユーザは、巻上ステム２６を縦軸Ａ１の周囲に第２手動制御部材２２を用いて回転することができる。これにより巻上ピニオン４０は、スライド・ピニオン３６を介して回転し、スライド・ピニオン３６は、巻上位置Ｐｒｅｍを占める。
【００４８】
時間を設定するために、ユーザは、スライド・ピニオン３６を軸時間設定位Ｐ１の方向へ向けて外側にスライドさせる。これにより、時間設定レバー３０は、静止角度位置ＰＡｒｅｐから時間設定角度位置ＰＡｍａｈ（図３）にスライドする。
【００４９】
時間設定レバー３０の回転により、引出部品５０が回転する。これによりスライド・ピニオン３６を、自由端４８を介して時間設定位置Ｐｍａｈの方向に駆動する。そこではスライド・ピニオン３６は、時間設定ピニオン４４と噛み合う。同時に、フッキング・アーム８８が、時間設定レバー３０により外側に移動するので、フッキング・アーム８８の第２制御表面９０は、第２支持表面９２と共働して、時間設定ロッキング・フック８０を押し戻して、ロッキング・レバー２４を反時計方向に回転させる。
【００５０】
時間設定レバー３０が回転を終了すると、ロッキング・レバー２４は、ロックされた打鈴作用位置Ｐｓｖを占有し、打鈴作用ロッキング・フック７４は、フッキング・ピン７６と共働して、解放レバー６０の回転をブロックし、打鈴作用が解放されるのを阻止する。
【００５１】
時間設定操作の終了時、ユーザは、巻上ステム２６を軸巻上位置Ｐ０の位置に押し戻し、その結果すべての可動部品は、図２に示す初期状態に戻る。
【００５２】
打鈴作用が手動であるいは自動的に解放されると、引出部品５０は、静止角度位置Ｐｉに向いて回転する（図４）。この回転により、第１フッキング・ピン７６の第１制御表面８４を介して、第１支持表面８６と共働して、ロッキング・レバー２４をロックされた時間設定位置Ｐｍａｈｖの方向に回転させる。この第２のロックされた時間設定位置Ｐｍａｈｖにおいては、時間設定ロッキング・フック８０は、フッキング・アーム８８の第２フッキング・ゾーン８２と共働して、時間設定レバー３０が回転するのを阻止して、如何なる時間設定操作も阻止する。
【００５３】
同時に、打鈴作用の解放の間、分ラック７０の回転により、隔離レバー９４は、隔離位置Ｐｂの方向に回転し、これにより引出部品５０のピン１０２を介して、スライド・ピニオン３６を中間位置Ｐｉｎｔの方向にスライドさせ、打鈴時の巻上操作を禁止する。
【００５４】
打鈴時の終了時点において、解放レバー６０は、初期の静止角度位置Ｐｉに戻り、その結果全ての可動部品は、図２に示す初期状態に戻る。
【００５５】
本発明の他の実施例（図示せず）によれば、ロッキング・レバー２４のロックされた時間設定位置Ｐｍａｈｖ方向への回転は、分ラック７０の回転により制御される。このような場合、ロッキング・レバー２４の第１アーム７２は、直接または中間部品を介して分ラック７０の部分と共働する。
【００５６】
同様に、解放レバー６０の回転は、隔離レバー９４が隔離位置Ｐｂの方向に回転するのを制御することができる。このような場合、隔離レバー９４の制御アーム９６は、直接または中間部品を介して、解放レバー６０の部分と共働する。
【００５７】
本発明の他の変形例（図示せず）によれば、時間設定機構１６は、別の形状、特に時間設定レバー３０と引出部品５０とスライド・ピニオン３６との間の機械的結合の形態を採ることができる。巻上ステム２６は、図示した実施例とは別の方法で達成することもできる。
【００５８】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００５９】
【図１】本発明の時計の主要部品を表すブロック図。
【図２】巻上配置に対応する静止位置にある時計の時間設定機構と打鈴機構の一部を表す斜視図。
【図３】時間設定機構が動作状態にあり、打鈴機構がロック状態にある時の図２の機構の上面図。
【図４】時間設定機構がロック状態にあり、打鈴機構が解放されている時の図２の機構を表す上面図。
【符号の説明】
【００６０】
１０    時計
１２    時計ムーブメント
１４    表示装置
１６    時間設定機構
１８    巻上竜頭
２０    打鈴機構
２２    第２手動制御部材
２４    ロッキング・レバー
２６    巻上ステム
２８    外側軸端
３０    時間設定レバー
３２    自由端
３４    溝
３６    スライド・ピニオン
３８    内側端
４０    巻上ピニオン
４２    外側端
４４    時間設定ピニオン
４６    環状周囲溝
４８    自由端
５０    引出部品
５２    制御アーム
５４    ピン
５６    内側表面
５８    時間設定ホイール
６０    解放レバー
６２    第１端
６４    第２自由端
６６、６８    クリック
７０    分ラック
７２    第１アーム
７４    打鈴作用ロッキング・フック
７６    第１フッキング・ゾーン
７８    第２アーム
８０    時間設定ロッキング・フック
８２    第２フッキング・ゾーン
８４    第１制御表面
８６    第１支持表面
８８    フッキング・アーム
９０    第２制御表面
９２    第２支持表面
９４    隔離レバー
９６    制御アーム
９８    隔離アーム
１００  支持アーム
１０２  ピン
Ａ１    縦軸
Ａ２、Ａ３、Ａ４、Ａ５    固定軸
Ｐ０    軸巻上位置
Ｐ１    軸時間設定位置
Ｐａ    静止角度位置
Ｐｂ    隔離角度位置
ＰＡｒｅｐ  静止角度位置
Ｐｒｅｐ    中間静止角度位置
ＰＡｍａｈ  時間設定角度位置
Ｐｍａｈ    時間設定位置
ＰＡｒｅｍ  巻上角度位置
Ｐｒｅｍ    巻上位置
Ｐｍａｈｖ  ロックされた時間設定位置
Ｐｉｎｔ    中間位置
Ｐｉ        静止角度位置
Ｐｉｉ      角度解放位置
Ｐｓｖ      ロックされた打鈴作用位置
Ｐｍａｎ    時間設定位置
【図１】
2008151785.tif 000003
【図２】
2008151785.tif 000004
【図３】
2008151785.tif 000005
【図４】
2008151785.tif 000006